(57)【要約】      （修正有）【課題】情報の流出、混在を防止し、時間短縮が可能で、高い機密性を有するネットプリントシステムを提供する。【解決手段】印刷実行する指令に基づき、紙面情報と、紙面情報に関連付けたユーザの認証情報を受信し、用紙に紙面情報を印刷して自動的に空きのセキュリティボックス３２３を選択して格納する。ユーザの認証情報の読み取りに基づき、読み取ったユーザの認証情報が、受信したユーザの認証情報と一致する場合に、収納したセキュリティボックス３２３を開放して紙面情報を印刷した用紙を取出し可能にする。【選択図】図４
2018190334.tif 000002
【特許請求の範囲】
【請求項１】
紙面情報を印刷実行する指令を送信可能なユーザ端末と、
印刷実行する指令を受信して用紙に紙面情報を記録可能なプリンタと、
を含むネットワークを備え、
前記ユーザ端末は、
印刷実行する指令に基づき、紙面情報と、紙面情報に関連付けたユーザの認証情報を送信可能であり、
前記プリンタは、
紙面情報を印刷した用紙を格納するセキュリティボックスを複数備えた用紙後処理装置を備えるとともに、ユーザの認証情報を読み取るプリンタ側読取手段を備え、
前記プリンタは、
前記印刷実行する指令に基づき、紙面情報と、紙面情報に関連付けたユーザの認証情報を受信し、用紙に紙面情報を印刷して自動的に空きのセキュリティボックスを選択して格納し、
前記プリンタ側読取手段によるユーザの認証情報の読み取りに基づき、
前記読み取ったユーザの認証情報が、前記受信したユーザの認証情報と一致する場合に、前記収納したセキュリティボックスを開放して紙面情報を印刷した用紙を取出し可能にすることを特徴とするネットプリントシステム。
【請求項２】
前記ユーザ端末は、携帯可能であり、
前記プリンタ側読取手段は、前記携帯可能なユーザ端末からユーザの認証情報を読み取ることを特徴とする請求項１に記載のネットプリントシステム。
【請求項３】
前記ユーザ端末は、携帯不可能であり、
ユーザの認証情報を読み取る端末側読取手段を備え、
ユーザの認証情報を読み取ることで、紙面情報に関連付けたユーザの認証情報を得ることを特徴とする請求項１に記載のネットプリントシステム。
【請求項４】
前記ネットワークは、
広告に関する紙面情報を送信する広告主端末と、
前記広告主端末から広告に関する紙面情報を受け取り蓄積する広告情報サーバと、
前記広告に関する紙面情報を管理する広告管理サーバと、を含み、
前記紙面情報を印刷実行する指令により、前記広告管理サーバにアクセスして広告に関する紙面情報を画像情報に付加して紙に印刷することを特徴とする請求項１乃至請求項３のいずれか１項に記載のネットプリントシステム。      
【請求項５】
前記携帯可能なユーザ端末は、
プリンタの位置を知らせる位置情報機能を備え、
プリンタから所定距離を検知した場合には、用紙に紙面情報を記録する有無を問い合わせ、
前記問い合わせに基づき、前記紙面情報を印刷実行する指令を送信可能にすることを特徴とする請求項２に記載のネットプリントシステム。
【請求項６】
前記用紙後処理装置は、
セキュリティボックスの用紙格納が所定時間経過すると、
用紙を排出してセキュリティボックスを空にする用紙廃棄手段を備えることを特徴とする請求項１乃至請求項５のいずれか１項に記載のネットプリントシステム。
【請求項７】
前記用紙後処理装置は、
セキュリティボックスの用紙格納が所定時間経過すると、
前記ユーザ端末に対して、取出し警告情報を送信することを特徴とする請求項１乃至請求項７のいずれか１項に記載のネットプリントシステム。
【請求項８】
前記用紙廃棄手段は、
セキュリティボックスの用紙をシュレッダーに送って廃棄処理を行う構成を含むことを特徴とする請求項６に記載のネットプリントシステム。
【請求項９】
前記用紙後処理装置は、すべての複数のセキュリティボックスに紙面情報を記録した用紙を格納し、空のセキュリティボックスが存在しない場合には、
空のセキュリティボックスを有する用紙後処理装置を備える他のプリンタを検索し、
前記他のプリンタは、
印刷実行する指令の受信に基づき、用紙に紙面情報を記録して自動的に空きのセキュリティボックスを選択して格納することを特徴とする請求項１乃至請求項８のいずれか１項に記載のネットプリントシステム。
【発明の詳細な説明】
【技術分野】
【０００１】
この発明は、インターネット等のネットワークを利用したネットプリントシステムに関する。
【背景技術】
【０００２】
近年、オフィス内は勿論のこと、コンビニエンスストア等に、複合機能を有するプリンタが、多く配置されるようになっており、インターネット等のネットワークを利用してプリンタに出力し、様々なサービスが提供されるようになっている。
【０００３】
例えば、ユーザが、自宅やオフィスからインターネットを介して、出力したい画像や文書等のファイルをサービスセンタに登録し、コンビニエンスストア等のプリンタで登録したファイルを取得して、プリント出力を得るといったものである（特許文献１）。
【０００４】
また、ユーザが、ＩＣチップ入りのＩＤカードを所有し、パソコンから印刷ボタンを押し、プリンタに対してそのＩＤカードをかざすことで印刷を始めるというものがある。
【先行技術文献】
【特許文献】
【０００５】
【特許文献１】特開２００５−５６３１２号公報
【発明の概要】
【発明が解決しようとする課題】
【０００６】
しかしながら、従来の特許文献１の技術では、画像検索用のＩＤや受付コードの記憶や記録のミスが生じた場合には、登録した画像等を出力することができなくなる恐れがあった。また、プリンタに対してそのＩＤカードをかざすことで印刷を始める技術では、ユーザがプリンタまで移動し、ＩＤカードをかざしてから印刷が始まるので、印刷終了までプリンタの前で待たねばならない問題がある。
【０００７】
この発明は、かかる点に鑑みてなされたもので、情報の流出、混在を防止し、時間短縮が可能で、高い機密性を有するネットプリントシステムを提供することを目的とする。
【課題を解決するための手段】
【０００８】
前記課題を解決し、かつ目的を達成するために、この発明は、以下のように構成した。
【０００９】
請求項１に記載の発明は、紙面情報を印刷実行する指令を送信可能なユーザ端末と、
印刷実行する指令を受信して用紙に紙面情報を記録可能なプリンタと、
を含むネットワークを備え、
前記ユーザ端末は、
印刷実行する指令に基づき、紙面情報と、紙面情報に関連付けたユーザの認証情報を送信可能であり、
前記プリンタは、
紙面情報を印刷した用紙を格納するセキュリティボックスを複数備えた用紙後処理装置を備えるとともに、ユーザの認証情報を読み取るプリンタ側読取手段を備え、
前記プリンタは、
前記印刷実行する指令に基づき、紙面情報と、紙面情報に関連付けたユーザの認証情報を受信し、用紙に紙面情報を印刷して自動的に空きのセキュリティボックスを選択して格納し、
前記プリンタ側読取手段によるユーザの認証情報の読み取りに基づき、
前記読み取ったユーザの認証情報が、前記受信したユーザの認証情報と一致する場合に、前記収納したセキュリティボックスを開放して紙面情報を印刷した用紙を取出し可能にすることを特徴とするネットプリントシステムである。
【００１０】
請求項２に記載の発明は、前記ユーザ端末は、携帯可能であり、
前記プリンタ側読取手段は、前記携帯可能なユーザ端末からユーザの認証情報を読み取ることを特徴とする請求項１に記載のネットプリントシステムである。
【００１１】
請求項３に記載の発明は、前記ユーザ端末は、携帯不可能であり、
ユーザの認証情報を読み取る端末側読取手段を備え、
ユーザの認証情報を読み取ることで、紙面情報に関連付けたユーザの認証情報を得ることを特徴とする請求項１に記載のネットプリントシステムである。
【００１２】
請求項４に記載の発明は、前記ネットワークは、
広告に関する紙面情報を送信する広告主端末と、
前記広告主端末から広告に関する紙面情報を受け取り蓄積する広告情報サーバと、
前記広告に関する紙面情報を管理する広告管理サーバと、を含み、
前記紙面情報を印刷実行する指令により、前記広告管理サーバにアクセスして広告に関する紙面情報を画像情報に付加して紙に印刷することを特徴とする請求項１乃至請求項３のいずれか１項に記載のネットプリントシステムである。
【００１３】
請求項５に記載の発明は、前記携帯可能なユーザ端末は、
プリンタの位置を知らせる位置情報機能を備え、
プリンタから所定距離を検知した場合には、用紙に紙面情報を記録する有無を問い合わせ、
前記問い合わせに基づき、前記紙面情報を印刷実行する指令を送信可能にすることを特徴とする請求項２に記載のネットプリントシステムである。
【００１４】
請求項６に記載の発明は、前記用紙後処理装置は、
セキュリティボックスの用紙格納が所定時間経過すると、
用紙を排出してセキュリティボックスを空にする用紙廃棄手段を備えることを特徴とする請求項１乃至請求項５のいずれか１項に記載のネットプリントシステムである。
【００１５】
請求項７に記載の発明は、前記用紙後処理装置は、
セキュリティボックスの用紙格納が所定時間経過すると、
前記ユーザ端末に対して、取出し警告情報を送信することを特徴とする請求項１乃至請求項７のいずれか１項に記載のネットプリントシステムである。
【００１６】
請求項８に記載の発明は、前記用紙廃棄手段は、
セキュリティボックスの用紙をシュレッダーに送って廃棄処理を行う構成を含むことを特徴とする請求項６に記載のネットプリントシステムである。
【００１７】
請求項９に記載の発明は、前記用紙後処理装置は、すべての複数のセキュリティボックスに紙面情報を記録した用紙を格納し、空のセキュリティボックスが存在しない場合には、
空のセキュリティボックスを有する用紙後処理装置を備える他のプリンタを検索し、
前記他のプリンタは、
印刷実行する指令の受信に基づき、用紙に紙面情報を記録して自動的に空きのセキュリティボックスを選択して格納することを特徴とする請求項１乃至請求項８のいずれか１項に記載のネットプリントシステムである。
【発明の効果】
【００１８】
前記構成により、この発明は、以下のような効果を有する。      
【００１９】
請求項１乃至請求項９に記載の発明では、印刷実行する指令に基づき、紙面情報と、紙面情報に関連付けたユーザの認証情報を受信し、用紙に紙面情報を印刷して自動的に空きのセキュリティボックスを選択して格納し、ユーザの認証情報の読み取りに基づき、読み取ったユーザの認証情報が、受信したユーザの認証情報と一致する場合に、収納したセキュリティボックスを開放して紙面情報を印刷した用紙を取出し可能にすることで、情報の流出、混在を防止し、時間短縮が可能で、高い機密性を有するネットプリントシステムを得ることができる。
【図面の簡単な説明】
【００２０】
【図１】ネットプリントシステムの構成を示すブロック図である。
【図２】ユーザ端末の構成を示す図である。
【図３】印刷実行の画面を示す図である。
【図４】プリンタ及び用紙後処理装置の構成図である。
【図５】用紙後処理装置の制御ブロック図である。
【図６】用紙後処理装置の制御フローチャートである。
【図７】用紙後処理装置の斜視図である。
【図８】用紙後処理装置の外壁パネルを外した状態の斜視図である。
【図９】広告情報サーバにおける広告登録情報の登録画面の一例を示す図である。
【図１０】広告情報サーバにおける広告の掲載情報の登録画面の一例を示す図である。
【図１１】広告情報サーバにおける広告の紙面情報の登録画面の一例を示す図である。
【図１２】広告の紙面情報に基づき、ユーザが購入した電子紙面情報の印刷された紙面に掲載された広告の一例を示す図である。
【図１３】広告システムをユーザ端末より利用する場合の利用画面の構成の一例を示す図である。
【図１４】広告システムをユーザ端末より利用する場合の利用画面の構成の一例を示す図である。
【図１５】広告システムをユーザ端末より利用する場合の利用画面の構成の一例を示す図である。
【図１６】広告システムをユーザ端末より利用する場合の利用画面の構成の一例を示す図である。
【図１７】広告システムをユーザ端末より利用する場合の利用画面の構成の一例を示す図である。
【図１８】広告システムをユーザ端末より利用する場合の利用画面の構成の一例を示す図である。
【図１９】広告システムをユーザ端末より利用する場合の利用画面の構成の一例を示す図である。
【図２０】広告システムを店頭端末より利用する場合の利用画面の構成の一例を示す図である。
【図２１】広告システムを店頭端末より利用する場合の利用画面の構成の一例を示す図である。
【図２２】広告システムを店頭端末より利用する場合の利用画面の構成の一例を示す図である。
【発明を実施するための形態】
【００２１】
以下、この発明のネットプリントシステムの実施の形態について説明する。この発明の実施の形態は、発明の最も好ましい形態を示すものであり、この発明はこれに限定されない。
【００２２】
この実施の形態のネットプリントシステムを、図１に基づいて説明する。図１はネットプリントシステムの構成を示すブロック図である。このネットプリントシステム１は、紙面情報を印刷実行する指令を送信可能なユーザ端末３１０と、印刷実行する指令を受信して用紙に紙面情報を記録可能なプリンタ３２０とを含むネットワーク３３０を備える。ネットワーク３３０は、例えばインターネットで構成される。
【００２３】
ユーザ端末３１０は、印刷実行する指令に基づき、紙面情報と、紙面情報に関連付けた認証情報を送信可能である。プリンタ３２０は、オフィス内は勿論のこと、コンビニエンスストア等に、複合機能を有する構成であり、インターネット等のネットワーク３３０を利用してプリンタ３２０に出力し、様々なサービスが提供されるようになっている。プリンタ３２０は、紙面情報を印刷した用紙を格納するセキュリティボックスを複数備えた用紙後処理装置３４０を備えるとともに、認証情報を読み取るプリンタ側読取手段３５０を備える。
【００２４】
また、ネットプリントシステム１は、各種コンテンツサービス２やＷＷＷ（ｗｏｒｌｄ  ｗｉｄｅ  ｗｅｂ）情報サービス３から文書、写真、及びイラスト等を含む種々の情報を電子紙面情報（画像情報）として受取り、それを記憶する電子紙面情報サーバ４と、広告の紙面情報及びその広告の紙面情報の受け取り対象を制約するための受取対象制約事項を含む広告の掲載情報を受取り、それを記憶する広告情報サーバ５と、ユーザのユーザ登録情報を受取り、それを記憶するユーザ情報サーバ６と、それら電子紙面情報サーバ４、広告情報サーバ５、及びユーザ情報サーバ６に接続されそれらを統括的に管理する一方で、ユーザが指定する所定の電子紙面情報についての印刷指令を発するとともに、そのユーザのユーザ登録情報が適合する受取対象制約事項を有する広告の紙面情報を選択して電子紙面情報に付加する広告管理サーバ７と、その広告管理サーバ７による印刷指令を受取ることにより、電子紙面情報及びそれに付加された広告の紙面情報を紙にプリンタ３２０により印刷する。ここで、広告の掲載を希望とする広告主は、広告主端末９を利用して所定の広告登録情報及び広告の紙面情報を広告情報サーバ５に対して送信することができる。
【００２５】
（ユーザ端末の構成）
この実施の形態のユーザ端末を、図２に基づいて説明する。図２はユーザ端末の構成を示す図である。ユーザ端末３１０は、ユーザの自宅やオフィスに配置されるデスクトップＰＣ（Ｐｅｒｓｏｎａｌ  Ｃｏｍｐｕｔｅｒ）などの携帯不可能な端末、またタブレットＰＣ、ノートＰＣ、スマートフォンなどの携帯可能な端末である。
【００２６】
携帯不可能な端末は、ユーザの認証情報を読み取る端末側読取手段３１１を備える。端末側読取手段３１１は、例えばマイナンバーカード、指紋、音声、種々のＩＤカードなどからユーザの認証情報を読み取る可能である。携帯不可能な端末は、文字入力し、入力した文字を編集して文章などの文字入力・編集機能を有し、紙面情報を作成し、印刷実行する指令に基づき、紙面情報と、紙面情報に関連付けたユーザの認証情報を送信可能である。
【００２７】
携帯可能な端末は、携帯不可能な端末と同様に文字入力・編集機能を有し、紙面情報を作成可能であるが、携帯不可能な端末のような端末側読取手段を備える必要はなく、携帯可能な端末が有する固有のシリアル番号をユーザの認証情報とし、印刷実行する指令に基づき、紙面情報と、紙面情報に関連付けたユーザの認証情報を送信可能である。
【００２８】
［印刷］
次に、印刷実行を、図３に基づいて説明する。図３は印刷実行の画面を示す図である。印刷実行の画面には、地図表示ボタン３１０ａ、印刷指定ボタン３１０ｂ、コンビニエンスストアリストボタン３１０ｃ、印刷実行ボタン３１０ｄが設けられている。地図表示ボタン３１０ａをクリックすると、ユーザの起点とする地図が表示され、地図にはコンビニエンスストアが例えば、Ａ〜Ｅで表示され、コンビニリストにリストアップされる。
【００２９】
印刷指定ボタン３１０ｂにより自動指定をクリックすると、ユーザの起点から最も近いコンビニエンスストア、例えばコンビニＢをクリックしたことになる。また、印刷指定ボタン３１０ｂにより選択指定をクリックすると、コンビニにストから、例えばコンビニエンスストアＡをクリックして指定する。このようにして、地図に基づきコンビニエンスストアを指定し、印刷実行ボタン３１０ｄをクリックすると、この印刷実行する指令に基づき、紙面情報と、紙面情報に関連付けたユーザの認証情報が送信され、指定したコンビニエンスストアに配置されるプリンタ３２０において、用紙に紙面情報を印刷して自動的に空きのセキュリティボックスを選択して格納する。
【００３０】
プリンタ３２０において、すべての複数のセキュリティボックスに紙面情報を記録した用紙を格納し、空のセキュリティボックスが存在しない場合には、空のセキュリティボックスを有する用紙後処理装置３４０を備える他のプリンタ３２０を検索し、他のプリンタ３２０は、印刷実行する指令の受信に基づき、用紙に紙面情報を記録して自動的に空きのセキュリティボックスを選択して格納する。この格納した他のプリンタ３２０を配置するコンビニエンスストア、例えばコンビニＥのランプを点灯してユーザに知らせる。
【００３１】
また、携帯可能なユーザ端末３１０は、プリンタ３２０の位置を知らせる位置情報機能を備え、プリンタ３２０から所定距離を検知した場合には、用紙に紙面情報を記録する有無を問い合わせ、問い合わせに基づき、紙面情報を印刷実行する指令を送信可能にすることができる。この実施例では、ユーザが印刷したい時に、印刷を希望するコンビニエンスストアに配置されるプリンタ３２０において、紙面情報を用紙に印刷し、用紙に紙面情報を印刷して自動的に空きのセキュリティボックスを選択して格納し、認証情報の読み取りに基づき、収納したセキュリティボックスを開放して紙面情報を印刷した用紙を取出すことができる。
【００３２】
（プリンタの構成）
この実施の形態のプリンタを、図４及び図５に基づいて説明する。図４はプリンタ及び用紙後処理装置の構成図、図５は用紙後処理装置の制御ブロック図である。この実施の形態のプリンタ３２０は、制御手段３２１と、プリント部３２２を有する。プリンタ３２０は、オフィス内は勿論のこと、コンビニエンスストア等に配置されるようになっており、インターネット等のネットワークを利用して出力し、様々なサービスが提供されるようになっている。
【００３３】
また、プリンタ３２０は、紙面情報を印刷した用紙を格納するセキュリティボックスを複数備えた用紙後処理装置３４０を備えるとともに、認証情報を読み取るプリンタ側読取手段３５０を備える。プリンタ側読取手段３５０は、例えばマイナンバーカード、指紋、音声、種々のＩＤカードなどからユーザの認証情報を読み取ることが可能であり、またタブレットＰＣ、ノートＰＣ、スマートフォンなどの携帯可能な端末からシリアル番号など機器固有のユーザの認証情報を読み取ることが可能である。
【００３４】
プリンタ３２０は、ネットワーク３３０を介して送信されるユーザ端末３１０からの印刷実行する指令に基づき、紙面情報と、紙面情報に関連付けた認証情報を受信し、制御手段３２１は、プリント部３２２を制御し、紙面情報を用紙に印刷し、用紙に紙面情報を印刷して自動的に空きのセキュリティボックスを選択して格納し、プリンタ側読取手段３５０による認証情報の読み取りに基づき、収納したセキュリティボックスを開放して紙面情報を印刷した用紙を取出し可能にする。
【００３５】
用紙後処理装置３４０は、プリンタ３２０により紙面情報を印刷した用紙を格納するセキュリティボックスを複数備えており、用紙のセキュリティを確保する装置である。用紙後処理装置３４０は、装置本体に、共有トレイ３２２、複数のセキュリティボックス３２３、取出しボックス３２４、廃棄トレイ３２５、用紙搬入手段３２６、用紙取出し手段３２７を備えており、制御手段３２１により制御される。
【００３６】
共有トレイ３２２は、装置本体の上部に配置され、複数のセキュリティボックス３２３は、装置本体の内部に上下方向に例えば５段の複数に配置され、廃棄トレイ３２５は、最下段のセキュリティボックス３２３の下方に配置され、取出しボックス３２４は、装置本体の側方に例えば１個配置されている。
【００３７】
用紙搬入手段３２６は、共有トレイ３２２の搬送路３２６ａ、複数のセキュリティボックス３２３のそれぞれの搬送路３２６ｂ１〜搬送路３２６ｂ５、搬送路の切り換えを行うフラッパ３２６ｃを有する。制御手段３２１は、フラッパ３２６ｃに搬送路を交互に切り換えさせ、搬送路から共有トレイ３２２、または選択されたセキュリティボックス３２３に送られた用紙は、先に送られた用紙が下になるように順次重ねられる。
【００３８】
用紙取出し手段３２７は、昇降台３２７ａ、昇降機構３２７ｂ、用紙送り出し部材３２７ｃ１、用紙回収部材３２７ｃ２、用紙検出センサ３２７ｄ１，３２７ｄ２を有する。昇降機構３２７ｂは、例えば、昇降ベルト３２７ｂ１、駆動モータ３２７ｂ２を有し、駆動モータ３２７ｂ２により昇降ベルト３２７ｂ１を駆動して昇降台３２７ａを昇降させる。複数のセキュリティボックス３２３には、それぞれ用紙送り出し部材３２７ｃ１と、用紙検出センサ３２７ｄ１が設けられ、取出しボックス３２４には、用紙回収部材３２７ｃ２と、用紙検出センサ３２７ｄ２が設けられる。用紙送り出し部材３２７ｃ１、用紙回収部材３２７ｃ２は、例えばプレッシャーで構成され、作動時に起立して作動し用紙を送り出す。用紙検出センサ３２７ｄ１，３２７ｄ２    は、例えば、ビームセンサで構成されるが、ＣＣＤカメラなどの非接触センサ、またリードスイッチなどの接触センサで構成してもよい。
【００３９】
制御手段３２１は、昇降機構３２７ｂを駆動して昇降台３２７ａを昇降させ、選択されたセキュリティボックス３２３に格納された用紙を、用紙送り出し部材３２７ｃ１により送り出して昇降台３２７ａに受け取り、排紙ボックス３２４へ排出する。また、セキュリティボックス３２３において用紙の格納時間が経過した用紙を、用紙送り出し部材３２７ｃ１により送り出して昇降台３２７ａに受け取り、廃棄トレイ３２５へ格納する。あるいは、取出しボックス３２４において用紙の格納時間が経過した用紙を、用紙回収部材３２７ｃ２により回収して昇降台３３２７ａに受け取り、廃棄トレイ３２５へ格納する。
【００４０】
用紙後処理装置３４０は、セキュリティ管理部３２５を備える。このセキュリティ管理部３２５は、図５に示すように、格納選択部３２３ａ、格納時間管理部３２３ｂ、認証部３２３ｃを有する。格納選択部３２３ａは、紙面情報に関連付けた認証情報に基づき用紙をセキュリティボックス３２３に格納するが、用紙検出センサ３２７ｄ１から得られるセキュリティボックス３２３の空き情報複数に基づき複数のセキュリティボックス３２３のうち空きセキュリティボックス３２３を選択し、用紙搬入手段３２６によりセキュリティを確保する用紙を空きセキュリティボックス３２３へ搬入して格納する。
【００４１】
格納時間管理部３２３ｂは、セキュリティを確保する用紙を空きセキュリティボックス３２３へ搬入して格納した時点から用紙の格納時間を管理し、セキュリティボックス３２３へ搬入した用紙の格納時間が経過すると、用紙取出し手段３２７を駆動して用紙をセキュリティボックス３２３から廃棄トレイ３２５へ格納し、また取出しボックス３２４の格納時間が経過すると、用紙取出し手段３２７を駆動して用紙を取出しボックス３２４から廃棄トレイ３２５へ格納する。
【００４２】
認証部３２３ｃは、プリンタ側読取手段３５０から入力された認証情報に基づき用紙を格納したセキュリティボックス３２３を特定し、用紙取出し手段３２７を駆動してセキュリティボックス３２３に格納された用紙を取出しボックス３２４へ排出する。
【００４３】
このように、紙面情報に関連付けた認証情報に基づき複数のセキュリティボックス３２３のうち空きセキュリティボックス３２３を選択し、用紙搬入手段３２６によりセキュリティを確保する用紙を空きセキュリティボックス３２３へ搬入して格納する。プリンタ側読取手段３５０による認証情報の読み取りに基づき用紙を格納したセキュリティボックス３２３を特定し、用紙取出し手段３２７によりセキュリティボックス３２３に格納された用紙を排出する。用紙の格納時間を管理し、セキュリティを確保する用紙を空きセキュリティボックス３２３へ搬入して格納した時点から特定された用紙の格納時間が経過すると、用紙取出し手段３２７により取出しボックス３２４に排出された用紙、またセキュリティボックス３２３に格納された用紙を廃棄トレイ３２５へ格納することで、鍵付き排紙部を用いない簡単な構造で、かつ簡単な制御で用紙のセキュリティを確保することが可能である。
【００４４】
また、用紙後処理装置３４０は、セキュリティボックス３２３の用紙格納が所定時間経過すると、ユーザ端末３１０に対して、取出し警告情報を送信し、ユーザに取出し忘れを知らせることができる。
【００４５】
次に、この実施の形態の作動を、図６に基づいて説明する。図６は用紙後処理装置の制御フローチャートである。ユーザは、プリンタ３２０において印刷処理の開始時にセキュリティが必要かどうかの指定を行う。
【００４６】
用紙後処理装置３４０では、段階Ｓ１において、紙面情報に関連付けたユーザの認証情報に基づきセキュリティが必要かどうかを決定する。セキュリティが必要でない場合には、印刷された用紙は共有トレイ３２２へ排出される。セキュリティが必要な場合は、段階Ｓ２において、複数のセキュリティボックス３２３のうち空きのセキュリティボックス３２３があるかを確認し、空きのセキュリティボックス３２３がない場合には、空きが発生するまでの待ち時間を表示してユーザに通知する。
【００４７】
空きのセキュリティボックス３２３がある場合には、段階Ｓ３において、その空きのセキュリティボックス３２３に印刷された用紙を格納する。
【００４８】
段階Ｓ４において、印刷された用紙が予め設定された時間を過ぎてもセキュリティボックス３２３に格納されたままであるかを確認する。もし、設定格納時間を過ぎた場合は、用紙をセキュリティボックス３２３から廃棄トレイ３２５へ格納する。
【００４９】
ユーザが読み取ったユーザの認証情報を入力した時は、段階Ｓ５において、ユーザが入力したユーザの認証情報が、受信したユーザの認証情報を照含し、一致しているかを確認する。一致していない場合には、再度のユーザがユーザの認証情報を入力するのを待つ。
【００５０】
ユーザの認証情報が一致した場合は、段階Ｓ６において、取出しボックス３２４に用紙が残っているかを確認する。取出しボックス３２４に用紙が残っている場合、段階７において、予め設定された格納時間を過ぎているかを確認する。
【００５１】
設定格納時間を過ぎていない場合は、取出しボックス３２４に用紙が残っていることを表示し、ユーザに通知する。設定格納時間を過ぎた場合は、用紙を取出しボックス３２４から廃棄トレイ３２５へ格納する。
【００５２】
取出しボックス３２４に用紙が残っていない場合には、段階Ｓ８において、用紙を格納したセキュリティボックス３２３から昇降台３２７ａを経由して取出しボックス３２４へ排出する。これによりユーザは取出しボックス３２４から用紙を取り出すことができる。
【００５３】
このネットプリントシステム１では、効果的に活用するためには、「取り出し忘れ」による「セキュリティボックス満タン」という状態を続けてはならない。よって、シュレッダーを配置し、必要に応じてセキュリティボックスの用紙をシュレッダーに送って廃棄処理を行うようにすることができる。
【００５４】
［オープンネットワークの場合］
プリンタ３２０をコンビニエンスストア等に配置した、いわゆるオープンネットワークでは、たとえばタブレットＰＣ、ノートＰＣ、スマートフォンなどの携帯可能な端末のＧＰＳ機能を活用し、既に紙面情報と、紙面情報に関連付けた認証情報を受信したユーザがコンビニエンスストア等のプリンタ３２０へ一定距離に近づいたらユーザに「印刷有無」を自動的に問い合わせ、ユーザが「印刷」を選択した時点でネットワークによる「課金」が成立するので、料金を支払ったのに取りに来ないユーザは少ないと思われるが、広告を付与することによって料金無料化された場合にはその限りでは無い。
【００５５】
ステップ１：
「取り出し忘れ」に対してはタイマー監視の上、一定時間を超えても取り出さないユーザに対し、用紙後処理装置２３からプロバイダーを経由してユーザのスマートフォンへアラーム通知する。アラームには、たとえば「・・・。これからＸＸ回の案内を行い、それでも印刷済み用紙を取りに来ない場合には貴殿の印刷済み用紙をシュレッダーにて廃棄・・・、お支払い頂いた料金は返金致しません・・・云々」の警告を盛り込む。
ステップ２：
決められたインターバルで決められた回数のアラームを続ける。
ステップ３：
それでも取りに来ない場合には、用紙を内部のシュレッダー部へ送り、廃棄処理する。
【００５６】
［クローズネットワークの場合］
プリンタ３２０を企業内等に配置した、いわゆるクローズネットワークでは、オープンネットワークの場合とは異なる処理を行う。
ステップ１：
「取り出し忘れ」に対してはタイマー監視の上、一定時間を超えても取り出さないユーザに対し、用紙後処理装置３２３からプロバイダーを経由してユーザのスマートフォン、デスクトップＰＣへアラーム通知する。アラームには、たとえば「・・・。これからＸＸ回の案内を行い、それでも印刷済み用紙を取りに来ない場合には貴殿の印刷済み用紙をシュレッダーにて廃棄・・・云々」の警告を盛り込む。
ステップ２：
決められたインターバルで決められた回数のアラームを続ける。
ステップ２：
それでも取りに来ない場合には、用紙束を内部のシュレッダーへ送り、廃棄処理する。
【００５７】
［第２の実施の形態］
この実施の形態の構成を、図７及び図８に基づいて説明する。図７は用紙後処理装置の斜視図、図８は用紙後処理装置の外壁パネルを外した状態の斜視図である。第２の実施の形態では、用紙後処理装置の構成が第１の実施の形態と異なるが、用紙後処理装置の制御及び画像形成装置は同様であるから説明を省略する。
【００５８】
用紙後処理装置３４０は、装置本体に、共有トレイ３２２、複数のセキュリティボックス３２３を備え、共有トレイ３２２は上部に配置され、複数のセキュリティボックス３２３は装置本体の内部に上下方向に４段に配置されている。共有トレイ３２２、選択されたセキュリティボックス３２３に送られた用紙は、先に送られた用紙が下になるように順次重ねられる。
【００５９】
この実施の形態では、用紙取出し手段３２７の構成が異なり、用紙取出し手段３２７は、送り出しローラ３２７ｆ、押し出し部材３２７ｇ、送り出しローラ３２７ｆ及び押し出し部材３２７ｇを駆動する駆動機構３２７ｈ、駆動機構３２７ｈの駆動源である駆動モータ３２７ｉを有し、複数のセキュリティボックス３２３にそれぞれ配置されている。押し出し部材３２７ｇは、例えば、平ベルトプッシャーで構成される。
【００６０】
印刷実行する指令に基づき、紙面情報と、紙面情報に関連付けたユーザの認証情報を受信し、複数のセキュリティボックス３２３のうち空きセキュリティボックス３２３を選択し、セキュリティを確保する用紙を空きセキュリティボックス３２３へ搬入して格納する。
【００６１】
ユーザの認証情報の読み取りに基づき、読み取ったユーザの認証情報が、受信したユーザの認証情報と一致する場合に、用紙を格納したセキュリティボックス３２３を特定し、駆動モータ３２７ｉを駆動して駆動機構３２７ｈを介して送り出しローラ３２７ｆの回転で用紙を送り出すと共に、押し出し部材３２７ｇにより用紙を押し出し、セキュリティボックス３２３に格納された用紙の先端部だけを狭い出口３２３ａから出すように排出する。
【００６２】
ユーザが格納された用紙を取り出したことを、例えばビームセンサが確認すると、駆動モータ３２７ｉを駆動して駆動機構３２７ｈを介して押し出し部材３２７ｇを元の位置へ復帰させる。ユーザが格納された用紙を取り出すまでの格納時間が経過した場合には、押し出し部材３２７ｇを元の位置へ復帰させて警告し、再認証待ちを開始する。
【００６３】
（広告）
このネットプリントシステムは、図１に示すように、ネットワーク３３０は、広告に関する紙面情報を送信する広告主端末９と、広告主端末９から広告に関する紙面情報を受け取り蓄積する広告情報サーバ５と、広告に関する紙面情報を管理する広告管理サーバ７と、を含み、図９（ａ），（ｂ）に示すように、紙面情報を印刷実行する指令により、広告管理サーバ７にアクセスして広告に関する紙面情報を画像情報に付加してプリンタ３２０において紙に印刷する。
【００６４】
図９（ａ）の実施の形態では、用紙の下部の欄に広告を印刷し、図９（ｂ）の実施の形態では、用紙の下部の欄にクーポンを印刷する。この実施の形態では、例えば、全体の印刷範囲から少し縮小させ、ユーザが容易に切り離せるように、ミシン目を入れる。ミシン目は、プリンタ３２０から用紙後処理装置３４０へ用紙を送る時に切り込むことにより形成する。広告管理サーバ７は、に備えられ、広告の各々について掲載料金を累積的に課金する課金手段（図示せず）を備える。このように、ユーザに対する「広告印刷」の選択を可能にして個々のユーザの趣向に合わせた宣伝広告、並びに割引クーポンを印刷媒体の裏面又は空いているスペースへ印刷することで、ユーザの印刷料金を節約し、合わせて購買意欲を続伸して市場を活性化に貢献することが可能となる。
【００６５】
広告の掲載を希望とする広告主は、広告主端末９を利用して所定の広告登録情報及び広告の紙面情報を広告情報サーバ５に対して送信することができる。また、電子紙面情報の購入並びにそれらの印刷及び製本を希望するユーザは、ユーザ端末（例えば、会社や自宅のパーソナルコンピュータ）１０若しくは最寄りの書店やコンビニエンスストア等にプリンタ２０を利用して自らのユーザ登録情報をユーザ情報サーバ６に対して送信することができる。尚、ユーザは、必ずしも電子書面情報を購入する必要はなく、自ら準備した種々の画像情報の印刷及び製本を行うこともできる。また、ユーザ登録情報には、ユーザが受取りを許可する広告の種類の指定が含まれ、ユーザは、広告の掲載（即ち、ユーザが指定した電子紙面情報への広告紙面情報の付加）の可否並びに掲載される広告の種類を自由に選択することができる。尚、この広告システムを利用するユーザのユーザ登録情報は、氏名、生年月日／年齢、住所、及び性別等のユーザを特定するための情報のみならず、後述するような本システムを利用するにあたり登録する種々の情報を含み得るものである。
【００６６】
図９（ｃ）及び図１０は、図１に示した広告情報サーバにおける広告主による広告の掲載情報の登録画面の一例を示す図である。広告主が、広告主端末９を利用して初めて広告情報サーバ５にアクセスする場合には、広告の掲載情報についての登録が必要となる。図９（ｃ）に示すように、広告の掲載情報には、広告主関連事項（広告主登録事項）が含まれ、広告主は、登録画面の初期登録フィールド２０に設定された各項目（氏名、会社名、部署、役職、郵便番号、都道府県、市区町村、ビル・マンション名、電話番号、ＦＡＸ番号、電子メールアドレスなど）に従って入力を行うことができる。また、広告主関連事項には、広告主の認証に用いられる情報が含まれ、広告主は、パスワード登録フィールド２１に設定された各項目（希望の広告ユーザＩＤ、パスワード）に従って入力を行うことができる。全ての入力が完了したら、登録ボタン２２を押して広告主の登録は完了する。これにより、次回の広告情報サーバ６へのアクセスの際には、登録された広告主ＩＤ（広告主のユーザＩＤ）及びパスワードにより認証が行われる。尚、初期登録フィールド２０に設定された各項目については、上記のものに限定されるものではなく、広告主に関する種々の情報を設定することが可能である。
【００６７】
図１０に示すように、広告の掲載情報には、広告掲載条件が更に含まれ、広告主は、掲載優先度指定フィールド３０において、広告の紙面情報の掲載についての優先度を設定することができる。この場合、優先度はＡ、Ｂ、Ｃの順に３段階に設定されており、優先度が高いほど掲載料金が高く設定されている。この優先度に従って、広告管理サーバ７は、ユーザが指定した電子紙面情報に付加する広告紙面情報を選択する。
【００６８】
また、掲載費用指定フィールド３１において、広告主は、広告掲載料の費用枠（掲載料金の上限値）を設定することができる。ここで、広告が掲載されると、各広告主に対して所定の広告掲載料がその都度課金されることになるが、その合計金額（累積課金額）がここで設定された費用枠内（ここでは、￥７０，０００円の範囲内）であるかぎり、広告の掲載は継続される。尚、費用枠内を超えた場合は、他の掲載条件の如何に関わらず掲載は停止される（即ち、広告管理サーバ７が選択する広告の紙面情報の対象から除外される）。
【００６９】
また、掲載期間指定フィールド３２において、広告主は、広告の紙面情報の掲載期間を設定することができる。ここでは、平成１４年１０月１から平成１４年１２月３１日の間で、広告の紙面情報が掲載されることになる。
【００７０】
また、掲載先絞込み指定フィールド３３において、広告主は、広告の紙面情報の掲載先（受取り対象）についての各項目（性別、年齢、エリア、及び対象品目）を設定することができる。ここで、「エリア」は、広告を受けるユーザの住所若しくは印刷・製本が行われる場所（製本機能付き印刷出力機の設置場所）等に関するものであり、都道府県、市町村、番地の選択により、広狭をつけることが可能であり、特に掲載先の絞り込みを必要としない場合には全ての領域を指定（図中「ＡＬＬ」をチェック）することもできる。また、広告の対象品目は、大分類、中分類、小分類、及び詳細（複数可）について設定することができ、例えば、四川料理の飲食店の広告主が設定する場合には、大分類を「飲食店」、中分類を「中華」、小分類を「四川料理」等と設定することが可能である。以上のような設定が終了したら、広告主は、確認ボタン３４を押して設定項目を確認することができ、設定項目に誤りや追加事項がなければ、登録ボタン３５を押して広告掲載条件の登録が完了する。尚、図１０では、１つのエリアのみを登録する場合を示してあるが、必要に応じて複数のエリアを登録することもできる。
【００７１】
図１１は、図１に示した広告情報サーバにおける広告主による広告の紙面情報の登録画面の一例を示す図である。図に示すように、広告の紙面情報には、広告のレイアウト及び内容等についての情報が含まれ、広告主は、掲載形態指定フィールド４０の各項目（掲載サイズ、掲載面、掲載色）の登録を行うことができる。このような広告の掲載形態は、ユーザが購入する電子紙面情報の種類によって制限を受けるので、ここでの広告主の設定は、必ずしも実際の広告の掲載時に全て反映されるものではない。所望により、広告の掲載形態の指定が広告情報サーバ５によって自動的に行われるように選択することも可能である。
【００７２】
また、広告内容指定フィールド４１において、広告主は、各項目（テンプレート選択、写真／イラスト枚数指定、挿入する写真のファイル名、タイトルバー文字、広告本文１、及び広告本文２）の登録を行うことができる。ここで、テンプレートは、予め準備された複数のテンプレートから選択することができる。また、写真、イラスト、地図等を広告に挿入したい場合には、広告主が予め準備した汎用のファイル形式（例えば、ＪＰＥＧ、ＧＩＦ等）で作成された画像を用いることができる。以上のような設定が終了したら、広告主は、確認ボタン４３を押して設定項目を確認することができ、その際、広告レイアウトプレビューフィールド４２に、広告のレイアウト（ここでは、Ａ４サイズ原稿の右上１／１２カット）、並びに上記広告内容指定フィールド４１で設定された内容に従って作成された広告紙面が表示される。広告主は、広告レイアウトプレビューフィールド４２に表示された内容に誤りや追加事項がなければ、登録ボタン４４を押して広告紙面原稿の登録が完了する。尚、図１１には示さないが、所望により、飲食及び商品等のサービス券（景品券、配給券、及び割引券など）を広告に添付することもできる。
【００７３】
図１２は、図１１に示した広告の紙面情報に基づき、ユーザが購入した電子紙面情報の印刷された紙面に掲載された広告の一例を示す図である。ここでは、ユーザが電子紙面情報として地図の情報を購入した場合を示しており、中央部の地図の画像５０に対して、紙面右上に広告紙面５１が掲載されている。尚、ここでは、１件の広告のみが掲載されている場合を示しているが、他の広告スペース５２、５３、５４にも同様の広告が掲載され得る。
【００７４】
図１３から図１９は、図１に示した広告システムをユーザ端末より利用する場合の利用画面の構成の一例を示す図である。ユーザが、ユーザ端末１０から広告システムを利用する場合、会員ユーザは認証が必要であり、非会員ユーザは会員登録が必要となる。図１３は、ユーザがユーザ端末から広告システムを利用する際にメインメニュー画面に表示されるサービス受付画面を示す。ここで、既に会員登録されているユーザは、会員認証フィールド６０において、会員番号（ユーザＩＤ）及びパスワードを入力する。一方、非会員ユーザは、会員登録フィールド６１において、所定事項（氏名、生年月日／年齢、住所、性別、クレジットカード番号、アンケート）の入力を行う。尚、クレジットカード番号については、ユーザの身分証明が可能であれば他の情報で代替可能である。また、アンケートには、ユーザの趣味・趣向に関するものが含まれ、広告管理サーバ７が、当該ユーザ向けに広告の紙面情報を選択する際に利用される。
【００７５】
図１４は、ユーザがユーザ端末からネットワークを介するプリントサービスを利用する際に表示されるサービス選択画面を示す。ユーザは、ユーザ端末を利用して広告システムにアクセスすることで、ネットワークを介するプリントサービスを利用することができる。データ登録フィールド７０において、ユーザは、会員番号及びパスワードの入力後、プリント対象となるデータの登録、及び印刷条件の設定を行うことができる。このデータ登録は、ウェブ上若しくはメールに画像情報を添付することで実行可能である。また、印刷条件には、カラー／モノクロの別、用紙サイズ、及び印刷部数を登録可能であり、更に印刷特殊詳細設定として、両面印刷、２ｉｎ１設定、拡大縮小設定、印刷濃淡設定等を登録することができる。一方、登録したデータの変更若しくは削除が必要となった場合には、ユーザは、登録データ変更及び削除フィールド７１において、会員番号及びパスワードの入力後、既に登録されているデータの中から変更若しくは削除を行うデータを選択し、削除若しくは変更を実行することができる。
【００７６】
また、データ出力フィールド７２において、データ登録フィールド７０で行う印刷条件と同様の設定を行うことができる。この場合、ユーザは、パスワードを入力した後、既に登録済のデータを選択して印刷条件の個別設定を行うことができる。ここで、既に登録済のデータの選択は、登録済のデータを検索するか、或いは事前のデータ登録の際に発行される登録番号を入力することで可能となる。登録されたデータに関しては、印刷条件個別設定として、カラー／モノクロの別、用紙サイズ、及び印刷部数を登録可能であり、更に印刷特殊詳細設定として、両面印刷、２ｉｎ１設定、拡大縮小設定、印刷濃淡設定等を登録することができる。
【００７７】
図１５は、ユーザがユーザ端末からコンテンツ販売サービスを利用する際に表示されるサービス選択画面を示す。ユーザは、ユーザ端末を利用して広告システムにアクセスすることで、コンテンツ（電子紙面情報）販売サービスを利用することができる。コンテンツ選択フィールド８０において、ユーザは、種々のコンテンツから購入を希望するコンテンツを選択することができる。選択可能なコンテンツには、例えば、書籍／雑誌、新聞、地図情報、タウン情報、各種カタログ／マニュアル、ツアー／宿泊／交通情報等が含まれる。
【００７８】
また、出力設定フィールド８１において、ユーザは、印刷条件の自動若しくは指定（マニュアル設定）の別を選択可能であり、指定を選択した場合には、コンテンツに対して、カラー／モノクロの別、用紙サイズ、及び印刷部数を登録可能であり、更に印刷特殊詳細設定として、両面印刷、２ｉｎ１設定、拡大縮小設定、印刷濃淡設定等を登録することができる。後述するように、ユーザは、更に製本処理条件及び広告掲載条件の設定が可能である。
【００７９】
また、ユーザヘルプフィールド８２において、ユーザは、サービス内容を検索するためのキーワード検索や、簡単操作の情報を検索することができる。
【００８０】
図１６は、ユーザが図１４に示したネットワークを介するプリントサービス及び図１５に示したコンテンツ販売サービスを利用する際に表示される印刷処理設定画面を示す。製本処理指定フィールド９０において、ユーザは、製本条件の自動若しくは指定（マニュアル設定）の別を選択可能であり、指定を選択した場合には、更に製本詳細条件の自動若しくは指定の別を選択可能であり、指定を選択した場合には、製本方法及び製本カバー使用の諸条件の設定が可能である。ここで、製本方法の条件としては、例えば、自動（製本の種類を自動で選択させる）、くるみ製本、テープ製本、中綴じ製本、ステープル綴じ製本（１ヶ所綴じ又は２ヶ所綴じ）等が含まれる。また、製本カバー使用の条件としては、自動（製本カバーの有無を自動で選択させる）、表紙の有無、裏表紙の有無等が含まれる。尚、ユーザが製本を必要としない場合には、製本処理を省略することも可能である。
【００８１】
図１７は、ユーザが図１４に示したネットワークを介するプリントサービス及び図１５に示したコンテンツ販売サービスを利用する際に表示される印刷処理設定画面を示す。広告掲載指定フィールド１００において、ユーザは、掲載を希望する広告について、デフォルト設定（登録済広告の掲載条件通り）、自動掲載、又は掲載拒否（掲載しない）を選択することが可能である。更に、詳細な条件を指定したい場合には、ユーザは、個別条件指定フィールド１０１において、広告内容の詳細条件の自動若しくは指定の別を選択可能であり、指定を選択した場合には、更に、エリア指定（都道府県、市町村、及び製本機能付き印刷出力器が設置される店舗周辺の指定、又は指定なし）、広告品目指定（大分類、中分類、及び小分類の指定、又は指定なし）、及びその他の指定（広告情報のみの掲載、クーポンのみの掲載、及びクーポンの種類の選択、又は指定なし）を行うことができる。尚、ユーザは、広告掲載内容登録設定フィールド１００において、好みの広告掲載条件を記録しておくことが可能である。
【００８２】
図１８は、ユーザが図１４に示したネットワークを介するプリントサービス及び図１５に示したコンテンツ販売サービスを利用する際に表示される受取り方法指定画面を示す。ユーザは、受取り方法として配送（郵送等を含む）又は店頭引き取りを選択可能であり、配送を希望する場合には、配送フィールド１１０において、会員登録時に入力した住所若しくは会員登録時と異なる住所を配送先として指定することができる。会員登録時と異なる住所を指定する場合には、住所、氏名、年齢、電話番号、電子メールアドレス等を入力する。一方、受取り方法として店頭引き取りを希望する場合には、ユーザは、店頭引き取りフィールド１１１において、引き取り場所の指定を行うことができる。引き取り場所を指定する際には、引き取り店舗、引き取り希望日・時間を設定することができる。また、引き取り場所を指定しない場合には、全国の任意の店舗で引き取り可能である。
【００８３】
図１９は、ユーザがユーザ端末からネットワークを介するプリントサービス及びコンテンツ販売サービスを利用する際に表示される支払い方法指定画面を示す。ユーザは、支払い方法指定フィールド１２０において、クレジット決済、振込み、店頭での現金支払いの別を選択することができる。
【００８４】
図２０から図２２は、図１に示した広告システムを店頭端末より利用する場合の利用画面の構成の一例を示す図である。ユーザが、店頭端末１１を利用してユーザ情報サーバ６にアクセスする場合、会員ユーザは認証が必要であり、非会員ユーザはスポットユーザ登録（即ち、一時的な本人確認登録）が必要となる。図２０は、ユーザが店頭端末から広告システム１を利用する際にメインメニュー画面に表示されるサービス受付画面を示す。ここで、既に会員登録されているユーザは、会員認証フィールド１３０において、会員番号（ユーザＩＤ）及びパスワードを入力する。一方、非会員ユーザは、スポットユーザ登録フィールド１３１において、氏名、生年月日／年齢、住所の入力を行ってスポットユーザ登録を行う。
【００８５】
図２１は、ユーザが店頭端末からネットワークを介するプリントサービスを利用する際に表示されるサービス選択画面を示す。ユーザは、店頭端末を利用して広告システム１にアクセスすることで、ネットワークを介するプリントサービスを利用することができる。データ登録フィールド１４０において、ユーザは、会員番号及びパスワードを入力した後、既に登録済のデータを選択して印刷条件の個別設定を行うことができる。ここで、登録済のデータの選択は、登録済のデータを検索するか、或いは事前のデータ登録の際に発行される登録番号を入力することで可能となる。登録されたデータに関しては、印刷条件個別設定として、カラー／モノクロの別、用紙サイズ、及び印刷部数を登録可能であり、更に印刷特殊詳細設定として、両面印刷、２ｉｎ１設定、拡大縮小設定、印刷濃淡設定等を登録することができる。
【００８６】
図２２は、ユーザが店頭端末から既に購入済のコンテンツの受取りを行う際に表示されるサービス選択画面を示す。購入済コンテンツ検索フィールド１５０において、ユーザは、パスワードを入力した後、既に購入済のコンテンツの中から受取りを行うコンテンツを選択することができる。コンテンツの選択は、既に購入済のコンテンツの一覧から選択（インターネット登録済み購入商品検索）するか、コンテンツ購入時に発行された商品番号の入力（インターネット登録済み購入品ナンバー入力）により行うことができる。ここで、事前に登録した製本処理や広告掲載に関する出力設定、受取り方法の指定、支払い方法の指定について変更がある場合には、ユーザは、事前登録済み各種条件の変更フィールド１５０において変更することが可能である。
【００８７】
尚、店頭端末において、ユーザがコンテンツ販売サービスを利用する場合、及びユーザがネットワークを介するプリントサービス及びコンテンツ販売サービスを利用する際の製本処理及び広告掲載について指定する場合については、図１６及び図１７に示したユーザ端末からの利用とそれぞれ同様である。更に、ユーザが購入したコンテンツの受取り方法を指定する場合、及び支払方法を指定する場合については、図１８及び図１９に示したユーザ端末からの利用とそれぞれ同様である。
【産業上の利用可能性】
【００８８】
この発明は、インターネット等のネットワークを利用したネットプリントシステムに適用可能であり、情報の流出、混在を防止し、時間短縮が可能で、高い機密性を有する。
【符号の説明】
【００８９】
１  ネットプリントシステム
２  コンテンツサービス
３  ＷＷＷ情報サービス
４  電子紙面情報サーバ
５  広告情報サーバ
６  ユーザ情報サーバ
７  広告管理サーバ
９  広告主端末
３１０  ユーザ端末
３１１  端末側読取手段
３２０  プリンタ
３３０  ネットワーク
３４０  用紙後処理装置
３５０  プリンタ側読取手段
【図１】
2018190334.tif 000003
【図２】
2018190334.tif 000004
【図３】
2018190334.tif 000005
【図４】
2018190334.tif 000006
【図５】
2018190334.tif 000007
【図６】
2018190334.tif 000008
【図７】
2018190334.tif 000009
【図８】
2018190334.tif 000010
【図９】
2018190334.tif 000011
【図１０】
2018190334.tif 000012
【図１１】
2018190334.tif 000013
【図１２】
2018190334.tif 000014
【図１３】
2018190334.tif 000015
【図１４】
2018190334.tif 000016
【図１５】
2018190334.tif 000017
【図１６】
2018190334.tif 000018
【図１７】
2018190334.tif 000019
【図１８】
2018190334.tif 000020
【図１９】
2018190334.tif 000021
【図２０】
2018190334.tif 000022
【図２１】
2018190334.tif 000023
【図２２】
2018190334.tif 000024
【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
紙面情報を印刷実行する指令を送信可能なユーザ端末と、
印刷実行する指令を受信して用紙に紙面情報を記録可能なプリンタと、
を含むネットワークを備え、
前記ユーザ端末は、
印刷実行する指令に基づき、紙面情報と、紙面情報に関連付けたユーザの認証情報を送信可能であり、
前記プリンタは、
ユーザの認証情報を得るプリンタ側ユーザ認識手段を備え、
前記印刷実行する指令に基づき、紙面情報と、紙面情報に関連付けたユーザの認証情報を受信し、用紙に紙面情報を印刷し、
前記プリンタ側ユーザ認識手段によるユーザの認証情報に基づき、
前記ユーザの認証情報が、前記受信したユーザの認証情報と一致する場合に、紙面情報を印刷した用紙を受け取り可能にすることを特徴とするネットプリントシステム。
【請求項２】
紙面情報を印刷した用紙を格納する用紙後処理装置を備え、
前記印刷実行する指令に基づき、紙面情報と、紙面情報に関連付けたユーザの認証情報を受信し、用紙に紙面情報を印刷して前記用紙後処理装置に格納し、
前記プリンタ側ユーザ認識手段によるユーザの認証情報に基づき、
前記ユーザの認証情報が、前記受信したユーザの認証情報と一致する場合に、前記収納した紙面情報を印刷した用紙を取出し可能にすることを特徴とする請求項１に記載のネットプリントシステム。
【請求項３】
紙面情報を印刷した用紙を格納するセキュリティボックスを複数備え、
前記印刷実行する指令に基づき、紙面情報と、紙面情報に関連付けたユーザの認証情報を受信し、用紙に紙面情報を印刷して自動的に空きのセキュリティボックスを選択して格納し、
前記プリンタ側ユーザ認識手段によるユーザの認証情報に基づき、
前記ユーザの認証情報が、前記受信したユーザの認証情報と一致する場合に、前記収納したセキュリティボックスを開放して紙面情報を印刷した用紙を取出し可能にすることを特徴とする請求項１または請求項２に記載のネットプリントシステム。
【請求項４】
前記ユーザ端末は、携帯可能であり、
前記端末側ユーザ認識手段は、前記携帯可能なユーザ端末からユーザの認証情報を得ることを特徴とする請求項１乃至請求項３のいずれか１項に記載のネットプリントシステム。
【請求項５】
前記ユーザ端末は、携帯不可能であり、
ユーザの認証情報を得る端末側ユーザ認識手段を備え、
ユーザの認証情報を得ることで、紙面情報に関連付けたユーザの認証情報を得ることを特徴とする請求項１乃至請求項３のいずれか１項に記載のネットプリントシステム。
【請求項６】
前記ネットワークは、
広告に関する紙面情報を送信する広告主端末と、
前記広告主端末から広告に関する紙面情報を受け取り蓄積する広告情報サーバと、
前記広告に関する紙面情報を管理する広告管理サーバと、を含み、
前記紙面情報を印刷実行する指令により、前記広告管理サーバにアクセスして広告に関する紙面情報を画像情報に付加して紙に印刷することを特徴とする請求項１乃至請求項５のいずれか１項に記載のネットプリントシステム。      
【請求項７】
前記携帯可能なユーザ端末は、
プリンタの位置を知らせる位置情報機能を備え、
プリンタから所定距離を検知した場合には、用紙に紙面情報を記録する有無を問い合わせ、
前記問い合わせに基づき、前記紙面情報を印刷実行する指令を送信可能にすることを特徴とする請求項４に記載のネットプリントシステム。
【請求項８】
前記用紙後処理装置は、
セキュリティボックスの用紙格納が所定時間経過すると、
用紙を排出してセキュリティボックスを空にする用紙廃棄手段を備えることを特徴とする請求項２乃至請求項７のいずれか１項に記載のネットプリントシステム。
【請求項９】
前記用紙後処理装置は、
セキュリティボックスの用紙格納が所定時間経過すると、
前記ユーザ端末に対して、取出し警告情報を送信することを特徴とする請求項２乃至請求項７のいずれか１項に記載のネットプリントシステム。
【請求項１０】
前記用紙廃棄手段は、
セキュリティボックスの用紙をシュレッダーに送って廃棄処理を行う構成を含むことを特徴とする請求項８に記載のネットプリントシステム。
【請求項１１】
前記用紙後処理装置は、すべての複数のセキュリティボックスに紙面情報を記録した用紙を格納し、空のセキュリティボックスが存在しない場合には、
空のセキュリティボックスを有する用紙後処理装置を備える他のプリンタを検索し、
前記他のプリンタは、
印刷実行する指令の受信に基づき、用紙に紙面情報を記録して自動的に空きのセキュリティボックスを選択して格納することを特徴とする請求項２乃至請求項１０のいずれか１項に記載のネットプリントシステム。
【手続補正２】
【補正対象書類名】明細書
【補正対象項目名】０００９
【補正方法】変更
【補正の内容】
【０００９】
請求項１に記載の発明は、紙面情報を印刷実行する指令を送信可能なユーザ端末と、
印刷実行する指令を受信して用紙に紙面情報を記録可能なプリンタと、
を含むネットワークを備え、
前記ユーザ端末は、
印刷実行する指令に基づき、紙面情報と、紙面情報に関連付けたユーザの認証情報を送信可能であり、
前記プリンタは、
ユーザの認証情報を得るプリンタ側ユーザ認識手段を備え、
前記印刷実行する指令に基づき、紙面情報と、紙面情報に関連付けたユーザの認証情報を受信し、用紙に紙面情報を印刷し、
前記プリンタ側ユーザ認識手段によるユーザの認証情報に基づき、
前記ユーザの認証情報が、前記受信したユーザの認証情報と一致する場合に、紙面情報を印刷した用紙を受け取り可能にすることを特徴とするネットプリントシステムである。
請求項２に記載の発明は、紙面情報を印刷した用紙を格納する用紙後処理装置を備え、
前記印刷実行する指令に基づき、紙面情報と、紙面情報に関連付けたユーザの認証情報を受信し、用紙に紙面情報を印刷して前記用紙後処理装置に格納し、
前記プリンタ側ユーザ認識手段によるユーザの認証情報に基づき、
前記ユーザの認証情報が、前記受信したユーザの認証情報と一致する場合に、前記収納した紙面情報を印刷した用紙を取出し可能にすることを特徴とする請求項１に記載のネットプリントシステムである。
請求項３に記載の発明は、紙面情報を印刷した用紙を格納するセキュリティボックスを複数備え、
前記印刷実行する指令に基づき、紙面情報と、紙面情報に関連付けたユーザの認証情報を受信し、用紙に紙面情報を印刷して自動的に空きのセキュリティボックスを選択して格納し、
前記プリンタ側ユーザ認識手段によるユーザの認証情報に基づき、
前記ユーザの認証情報が、前記受信したユーザの認証情報と一致する場合に、前記収納したセキュリティボックスを開放して紙面情報を印刷した用紙を取出し可能にすることを特徴とする請求項１または請求項２に記載のネットプリントシステムである。
【手続補正３】
【補正対象書類名】明細書
【補正対象項目名】００１０
【補正方法】変更
【補正の内容】
【００１０】
請求項４に記載の発明は、前記ユーザ端末は、携帯可能であり、
前記端末側ユーザ認識手段は、前記携帯可能なユーザ端末からユーザの認証情報を得ることを特徴とする請求項１乃至請求項３のいずれか１項に記載のネットプリントシステムである。
【手続補正４】
【補正対象書類名】明細書
【補正対象項目名】００１１
【補正方法】変更
【補正の内容】
【００１１】
請求項５に記載の発明は、前記ユーザ端末は、携帯不可能であり、
ユーザの認証情報を得る端末側ユーザ認識手段を備え、
ユーザの認証情報を得ることで、紙面情報に関連付けたユーザの認証情報を得ることを特徴とする請求項１乃至請求項３のいずれか１項に記載のネットプリントシステムである。
【手続補正５】
【補正対象書類名】明細書
【補正対象項目名】００１２
【補正方法】変更
【補正の内容】
【００１２】
請求項６に記載の発明は、前記ネットワークは、
広告に関する紙面情報を送信する広告主端末と、
前記広告主端末から広告に関する紙面情報を受け取り蓄積する広告情報サーバと、
前記広告に関する紙面情報を管理する広告管理サーバと、を含み、
前記紙面情報を印刷実行する指令により、前記広告管理サーバにアクセスして広告に関する紙面情報を画像情報に付加して紙に印刷することを特徴とする請求項１乃至請求項５のいずれか１項に記載のネットプリントシステムである。
【手続補正６】
【補正対象書類名】明細書
【補正対象項目名】００１３
【補正方法】変更
【補正の内容】
【００１３】
請求項７に記載の発明は、前記携帯可能なユーザ端末は、
プリンタの位置を知らせる位置情報機能を備え、
プリンタから所定距離を検知した場合には、用紙に紙面情報を記録する有無を問い合わせ、
前記問い合わせに基づき、前記紙面情報を印刷実行する指令を送信可能にすることを特徴とする請求項４に記載のネットプリントシステムである。
【手続補正７】
【補正対象書類名】明細書
【補正対象項目名】００１４
【補正方法】変更
【補正の内容】
【００１４】
請求項８に記載の発明は、前記用紙後処理装置は、
セキュリティボックスの用紙格納が所定時間経過すると、
用紙を排出してセキュリティボックスを空にする用紙廃棄手段を備えることを特徴とする請求項２乃至請求項７のいずれか１項に記載のネットプリントシステムである。
【手続補正８】
【補正対象書類名】明細書
【補正対象項目名】００１５
【補正方法】変更
【補正の内容】
【００１５】
請求項９に記載の発明は、前記用紙後処理装置は、セキュリティボックスの用紙格納が所定時間経過すると、
前記ユーザ端末に対して、取出し警告情報を送信することを特徴とする請求項２乃至請求項７のいずれか１項に記載のネットプリントシステムである。
【手続補正９】
【補正対象書類名】明細書
【補正対象項目名】００１６
【補正方法】変更
【補正の内容】
【００１６】
請求項１０に記載の発明は、前記用紙廃棄手段は、
セキュリティボックスの用紙をシュレッダーに送って廃棄処理を行う構成を含むことを特徴とする請求項８に記載のネットプリントシステムである。
【手続補正１０】
【補正対象書類名】明細書
【補正対象項目名】００１７
【補正方法】変更
【補正の内容】
【００１７】
請求項１１に記載の発明は、前記用紙後処理装置は、すべての複数のセキュリティボックスに紙面情報を記録した用紙を格納し、空のセキュリティボックスが存在しない場合には、
空のセキュリティボックスを有する用紙後処理装置を備える他のプリンタを検索し、
前記他のプリンタは、
印刷実行する指令の受信に基づき、用紙に紙面情報を記録して自動的に空きのセキュリティボックスを選択して格納することを特徴とする請求項２乃至請求項１０のいずれか１項に記載のネットプリントシステムである。
【手続補正１１】
【補正対象書類名】明細書
【補正対象項目名】００１９
【補正方法】変更
【補正の内容】
【００１９】
請求項１乃至請求項１１に記載の発明では、印刷実行する指令に基づき、紙面情報と、紙面情報に関連付けたユーザの認証情報を受信し、用紙に紙面情報を印刷して格納し、ユーザの認証情報の読み取りに基づき、読み取ったユーザの認証情報が、受信したユーザの認証情報と一致する場合に、収納したセキュリティボックスを開放して紙面情報を印刷した用紙を取出し可能にすることで、情報の流出、混在を防止し、時間短縮が可能で、高い機密性を有するネットプリントシステムを得ることができる。